(57)【要約】【課題】本発明は、濾過膜モジュールの個別濾液量を測定する場合のみ、個別濾液量を測定する濾過膜モジュールのみの濾液を流す配管を前記濾過膜モジュールの濾液配管に接続できる構造を持つことで、全体濾液量測定用流量計の測定目盛り幅や測定目盛り範囲に関係なく、また、全体濾液量測定用流量計を変更し電気配線や構成する電気部品の点数及び製作工数を増やすことなく濾過膜モジュールの個別濾液量の正確な測定が可能な濾液配管構造を提供することを目的とする。【解決手段】濾過膜モジュール１の濾液出口からの濾液配管２を分岐し端部に接続継手４ａを設け、端部に接続継手４ａと対の接続継手４ｂを備えた配管と接続し、個別濾液量を測定する濾過膜モジュール１のみの濾液を前記配管に流して個別濾液量を測定する濾液配管構造を特徴とする。【選択図】  図１
2004160308.tif 000002
【特許請求の範囲】
【請求項１】
２以上に配列された濾過膜モジュールの濾液配管が、濾過膜モジュールの濾液出口から濾液集合管に至る前に備わる弁までの間で分岐しており、その分岐した配管の端部に接続継手を備え、該接続継手は対の接続継手のみと接続の着脱が可能で対の接続継手を接続した時は液が流通し対の接続継手を接続しない時は液が流出しない機能を有することを特徴とする濾過膜モジュールの濾液配管構造。
【請求項２】
２以上に配列された濾過膜モジュールでかつ濾液出口を２ヶ所有する濾過膜モジュールの各々の濾液出口の濾液配管において、一方は濾液出口から弁を介して濾液集合管に接続されており、もう一方は濾液出口からの濾液配管の端部に接続継手を備え、該接続継手は対の接続継手のみと接続の着脱が可能で対の接続継手を接続した時は液が流通し対の接続継手を接続しない時は液が流出しない機能を有することを特徴とする濾過膜モジュールの濾液配管構造。
【発明の詳細な説明】
【０００１】
【発明の属する技術分野】
本発明は、濾過装置に２以上に配列された濾過膜モジュールの個別濾液量を測定するために有効な濾過膜モジュールの濾液配管構造に関するものである。
【０００２】
【従来の技術】
濾過装置に２以上に配列された濾過膜モジュールは定期的に個別濾液量の測定がなされ、濾液量の低下している濾過膜モジュールは交換される。
従来の濾過膜モジュールの濾液配管構造について図３を用いて説明する。図３において、濾過膜モジュール１の濾液配管２は手動バルブ２ａを介して濾液集合管３に接続されており、濾液集合管３は全体濾液量測定用流量計１１を介して濾液タンク１２に接続されている（例えば、非特許文献１参照。）。
【０００３】
なお、通常、全体濾液量測定用流量計１１は濾液集合管に常設されており、通液するのみで流量の計測が可能な面積式流量計を用いている。
濾過膜モジュールの個別濾液量を測定する場合は、例えば全ての濾過膜モジュールの濾液配管２に設けられた手動バルブ２ａを開き全体濾液量測定用流量計１１を用いて測定した全体濾液量の値と個別濾液量を測定しようとする濾過膜モジュールの濾液配管２に設けられた手動バルブ２ａのみを閉め全体濾液量測定用流量計１１を用いて測定した全体濾液量の値の差を、該手動バルブ２ａを閉めた濾過膜モジュールの個別濾液量としていた。
【０００４】
或いは、個別濾液量を測定しようとする濾過膜モジュールの濾液配管２に設けられた手動バルブ２ａのみを開きその他の濾過膜モジュールの濾液配管２に設けられた手動バルブ２ａを閉め全体濾液量測定用流量計１１で測定した値を、該手動バルブ２ａを開いた濾過膜モジュールの個別濾液量としていた。
【０００５】
【非特許文献１】
清水博、西村正人監修「最新の膜処理技術とその応用」（株）フジ・テクノシステム出版、１９８４年８月１日、ｐ１４９、図−２
【０００６】
【発明が解決しようとする課題】
しかしながら、前述の操作及び図３に示した濾液配管構造で濾過膜モジュールの個別濾液量を測定すると、例えば、面積式の全体濾液量測定用流量計１１では測定目盛り幅や測定目盛り範囲により濾過膜モジュールの個別濾液量が正確に測定できないという問題があった。濾液量の差が全体濾液量測定用流量計１１の目盛り幅に比べて小さいときには濾液量の差を精度良く読み取ることが難しくなり、或いは全体濾液量測定用流量計１１の測定目盛り範囲の最小値が濾過膜モジュールの個別濾液量以上の場合は濾過膜モジュールの個別濾液量が測定できないという問題である。
【０００７】
また、全体濾液量測定用流量計を用いて個別濾液量を正確に測定するには例えば全体濾液測定用流量計を電磁式流量計等の電気的な信号を用いた精度の高い流量計に変更する必要があり、前記電磁式流量計等に変更した場合は接続する電気配線や構成する電気部品の点数が多くなり製作工数が増大するという問題があった。
【０００８】
本発明は、上記課題を解決するためになされたものであり、濾過膜モジュールの個別濾液量を測定する場合のみ、個別濾液量を測定する濾過膜モジュールのみの濾液を流す配管を前記濾過膜モジュールの濾液配管に接続できる構造を持つことで、全体濾液量測定用流量計の測定目盛り幅や測定目盛り範囲に関係なく、また、全体濾液量測定用流量計を変更し電気配線や構成する電気部品の点数及び製作工数を増やすことなく濾過膜モジュールの個別濾液量の正確な測定が可能な濾液配管構造を提供することを目的とする。
【０００９】
【課題を解決するための手段】
本発明者は前記目的を達成するため新規な濾過膜モジュールの濾液配管構造を見出し、本発明をなすに至った。即ち、本発明は、１）２以上に配列された濾過膜モジュールの濾液配管が、濾過膜モジュールの濾液出口から濾液集合管に至る前に備わる弁までの間で分岐しており、その分岐した配管の端部に接続継手を備え、該接続継手は対の接続継手のみと接続の着脱が可能で対の接続継手を接続した時は液が流通し対の接続継手を接続しない時は液が流出しない機能を有することを特徴とする濾過膜モジュールの濾液配管構造、２）２以上に配列された濾過膜モジュールでかつ濾液出口を２ヶ所有する濾過膜モジュールの各々の濾液出口の濾液配管において、一方は濾液出口から弁を介して濾液集合管に接続されており、もう一方は濾液出口からの濾液配管の端部に接続継手を備え、該接続継手は対の接続継手のみと接続の着脱が可能で対の接続継手を接続した時は液が流通し対の接続継手を接続しない時は液が流出しない機能を有することを特徴とする濾過膜モジュールの濾液配管構造である。
【００１０】
本発明における濾過膜モジュールとは、後述する濾過膜をハウジングに収めた構造を有しており、該ハウジングは原液を導入する原液入口と原液を排出する原液出口を夫々１ヶ所有し、濾液出口は１ヶ所、或いは２ヶ所有している。濾過膜は、特に限定しないが中空糸状の限外濾過膜、或いは精密濾過膜等を用いることができる。２以上に配列されたとは、上記濾過膜モジュールを使用した濾過装置において、２基以上の濾過膜モジュールが向きを揃えて規則的に配置され配管に接続されている状態のことである。接続継手とは、分離されている２本の配管を接続して１本にする、或いは１本の配管の途中の接続を外して２本に分離することが適宜可能なように各々の配管端部に設けられた配管構成部品のことであり、例えばカプラ等がある。
【００１１】
本発明によれば、濾過膜モジュールの個別濾液量を測定する場合は前述の接続継手に例えば一部が可撓性の管からなる流量計を備えた配管でかつ端部に該接続継手と対の接続継手を備えた配管を接続し、個別濾液量を測定する濾過膜モジュールのみの濾液を前記配管に流して個別濾液量を測定することができるため、全体濾液量測定用流量計の測定目盛り幅や測定目盛り範囲に関係なく、また、全体濾液量測定用流量計を変更し電気配線や構成する電気部品の点数及び製作工数を増やすことなく濾過膜モジュールの個別濾液量の正確な測定ができる。
【００１２】
また、濾過膜モジュールの個別濾液量を測定しない場合は、一部が可撓性の管からなる流量計を備えかつ端部が接続継手の配管は接続継手部分の接続を外すことにより濾過膜モジュールから切り離し個別濾液が流れないようにしておけると同時に、接続継手の液が流出しない機能によって濾液の流出を防ぐ事ができる。そして、一部が可撓性の管からなる流量計を備えた配管の可撓部分は、２以上に配列された濾過膜モジュールの両端の濾過膜モジュールの各々の濾液出口を直線で結ぶ距離以上の長さであると、同一の流量計で全ての濾過モジュール個別濾液量を測ることができるので好ましい。
【００１３】
更に、一部が可撓性の管からなる流量計を備えた配管は、濾過膜モジュールの個別濾液量を測定した際の該濾過膜モジュールの個別濾液が濾液タンクに導かれ貯蔵されるように接続すると濾液の損失を防ぐことができるので好ましい。
可撓性の管とは、任意の箇所で曲げることができかつ元の状態に戻すこともできる配管のことであり、例えば塩化ビニール（ＰＶＣ）製ホース等がある。
【００１４】
【発明の実施の形態】
図により本発明に係る濾過膜モジュールの配管構造の一実施形態を具体的に説明する。図１及び図２は本発明に係る濾過膜モジュールの配管構造を示す図である。
本発明に係る濾過膜モジュールの濾液配管構造は、例えば、電着塗料、電着塗装工程後の純水による洗浄排水（以下、電着塗料の純水洗水と称す）等を原液とし、その原液を循環しながら濾過を行うクロスフロー型の精密濾過装置或いは限外濾過装置において、各々の濾過膜モジュールの濾液量を測定するための濾液配管に有用なものである。
本発明を実施例に基づいて説明する。
【００１５】
【実施例１】
図１のように、限外濾過膜モジュール（旭化成株式会社製、限外濾過膜モジュール、ＥＣＳ−３０１０）１を５本並べて濾過装置に設置した。各々の濾過膜モジュール１は一方の濾液出口から濾液集合管３に至る濾液配管２に備わる手動バルブ２ａまでの間で分岐して、その分岐した配管の端部に接続継手（日東工器株式会社製、迅速流体継手ハイカプラ）４ａを設けた。各々の濾過膜モジュール１のもう一方の濾液出口は封止板により封じた。
【００１６】
そして、図示しない循環ポンプにより原液となる電着塗料の純水洗水を原液供給集合管５に接続した原液配管６を介して各濾過膜モジュール１へ供給し、濾過膜モジュール１内の中空糸状膜により濾過した。濾液は濾液配管２及び手動バルブ２ａを介して濾液集合管３へ流し、全体濾液量測定用流量計（流体工業株式会社製、面積式流量計、ＧＴＦ−２）１１を介して濾液タンク１２に貯蔵した。
一方、原液配管６を介して濾過膜モジュール１に供給された電着塗料の純水洗水の一部は循環戻り液として濾過膜モジュール１の中空糸状膜の内側を流通して原液戻り配管７を介して原液戻り集合管８へ流れ、図示しない循環ポンプまたは原液タンクへ戻るようにした。
【００１７】
濾過膜モジュールの個別濾液量を測定する場合は、個別濾液量を測定する濾過膜モジュール１の濾液出口から濾液集合管３に至る濾液配管２に備わる手動バルブ２ａを閉め、濾液配管２が濾液集合管３に至る前に備わる手動バルブ２ａまでの間で分岐した配管の端部に設けた接続継手４ａと一部が可撓性のＰＶＣ製ホースからなる個別濾液量測定用流量計（流体工業株式会社製、面積式流量計、ＧＤＦ−２）１０を備えた配管でかつ端部に対の接続継手と接続しないときは液が流れない構造になっている接続継手４ａと対の接続継手（ともに日東工器株式会社製、迅速流体継手ハイカプラ）４ｂを備えた配管を接続し、個別濾液量を測定する濾過膜モジュール１のみの濾液を前記配管に流して個別濾液量を測定した。前述の一部が可撓性のＰＶＣ製ホースからなる個別濾液量測定用流量計１０を備えた配管は濾液タンク１２に接続されており、前記濾過膜モジュール１の個別濾液は該配管を流れて濾液タンク１２に導かれ貯蔵された。同様の操作を各々の濾過膜モジュールに対して実施し、５本の濾過膜モジュールの個別濾液量を測定した。
【００１８】
前記濾過膜モジュール１の個別濾液量の測定終了後、前記接続継手４ａと前記接続継手４ｂを切り離し、前記濾過膜モジュール１の濾液配管２に備わる手動バルブ２ａを開いた。
【００１９】
【実施例２】
図２のように、濾液出口を各々に２ヶ所有する限外濾過膜モジュール（旭化成株式会社製、限外濾過膜モジュール、ＥＣＳ−３０１０）１を５本並べて濾過装置に設置した。各々の濾過膜モジュール１の濾液出口において、一方は濾液出口からの濾液配管２を手動バルブ２ａを介して濾液集合管３に接続し、もう一方は濾液出口からの濾液配管１３の端部に接続継手４ａを設けた。
【００２０】
そして、図示しない循環ポンプにより実施例１と同様の原液を原液供給集合管５に接続した原液配管６を介して各濾過膜モジュール１へ供給し、濾過膜モジュール１内の中空糸状膜により濾過した。濾液は濾液配管２及び手動バルブ２ａを介して濾液集合管３へ流し、全体濾液量測定用流量計（実施例１と同様の流量計）１１を介して濾液タンク１２に貯蔵した。
一方、原液配管６を介して濾過膜モジュール１に供給された実施例１と同様の原液の一部は循環戻り液として濾過膜モジュール１の中空糸状膜の内側を流通して原液戻り配管７を介して原液戻り集合管８へ流れ、図示しない循環ポンプまたは原液タンクへ戻るようにした。
【００２１】
濾過膜モジュールの個別濾液量を測定する場合は、個別濾液量を測定する濾過膜モジュール１の一方の濾液出口から濾液集合管３に至る濾液配管２に備わる手動バルブ２ａを閉め、濾過膜モジュール１のもう一方の濾液出口からの濾液配管１３の端部に設けた接続継手４ａ（対の接続継手と接続していないときは液が流出しない構造のもの）と一部が可撓性のＰＶＣ製ホースからなる個別濾液量測定用流量計（実施例１と同様の流量計）１０を備えた配管でかつ端部に接続継手４ａと対の接続継手（実施例１と同様の対の接続継手）４ｂを備えた配管を接続し、個別濾液量を測定する濾過膜モジュール１のみの濾液を前記配管に流して個別濾液量を測定した。一部が可撓性のＰＶＣ製ホースからなる個別濾液量測定用流量計１０を備えた配管は濾液タンク１２に接続されており、前記濾過膜モジュール１の個別濾液は該配管を流れて濾液タンク１２に導かれ貯蔵された。同様の操作を各々の濾過膜モジュールに対して実施し、５本の濾過膜モジュールの個別濾液量を測定した。
【００２２】
前記濾過膜モジュール１の個別濾液量の測定終了後は、前記接続継手４ａと前記接続継手４ｂを切り離し、前記濾過膜モジュール１の濾液配管２に備わる手動バルブ２ａを開いた。
【００２３】
【発明の効果】
本発明は、濾過膜モジュールの個別濾液量を測定する場合のみ、個別濾液量を測定する濾過膜モジュールのみの濾液を流す配管を前記濾過膜モジュールの濾液配管に接続できる構造を持つことで、全体濾液量測定用流量計の測定目盛り幅や測定目盛り範囲に関係なく、また、全体濾液量測定用流量計を変更し電気配線や構成する電気部品の点数及び製作工数を増やすことなく濾過膜モジュールの個別濾液量の正確な測定が可能な濾液配管構造を提供することができる。
【図面の簡単な説明】
【図１】本発明に係る濾過膜モジュールの配管構造を示す図である。
【図２】本発明に係る濾過膜モジュールの配管構造を示す図である。
【図３】従来例を説明する図である。
【符号の説明】
１・・・濾過膜モジュール
２・・・濾液配管
２ａ・・・手動バルブ
３・・・濾液集合管
４ａ・・・接続継手
４ｂ・・・接続継手
５・・・原液供給集合管
６・・・原液配管
７・・・原液戻り配管
８・・・原液戻り集合管
９・・・可撓性配管
１０・・・個別濾液量測定用流量計
１１・・・全体濾液量測定用流量計
１２・・・濾液タンク
１３・・・濾液配管
【図１】
2004160308.tif 000003
【図２】
2004160308.tif 000004
【図３】
2004160308.tif 000005